(57)【要約】【課題】簡易な事前登録操作で携帯端末による医療費の管理を可能とする。【解決手段】本発明に係る医療費管理システムは、受付手段に入力された患者ＩＤに対応付けられた決済ＩＤを発行する第１処理と、第１処理で発行された決済ＩＤを出力する第２処理と、第２処理で出力された決済ＩＤが入力された場合、決済ＩＤ及び携帯端末に対応する端末ＩＤをサーバー手段に送信する第３処理と、第３処理で携帯端末から送信された決済ＩＤ及び端末ＩＤを、患者ＩＤに対応付け事前登録情報として登録する第４処理と、医療端末から、請求金額を含むとともに決済ＩＤに対応する請求情報を受信した場合、決済ＩＤ、及び、少なくとも会計情報中の請求金額を含む会計通知情報を、事前登録情報中、決済ＩＤに対応付けられた端末ＩＤに対して送信する第５処理と、第５処理で送信された会計通知情報に基づいてユーザーに通知する第６処理を行うことを特徴とする。【選択図】図１
2018032283.tif 000002
【特許請求の範囲】
【請求項１】
サーバー手段と、受付手段と、ユーザーが所持する携帯端末で実行されるプログラムを含んだ医療費管理システムであって、
第１〜第６処理を実行可能とし、
第１処理は、サーバー手段で実行される処理であって、受付手段に入力された患者ＩＤに対応付けられた決済ＩＤを発行し、
第２処理は、受付手段で実行される処理であって、第１処理で発行された決済ＩＤを出力し、
第３処理は、携帯端末で実行される処理であって、第２処理で出力された決済ＩＤが入力された場合、決済ＩＤ、及び、携帯端末に対応する端末ＩＤをサーバー手段に送信し、
第４処理は、サーバー手段で実行される処理であって、第３処理で携帯端末から送信された決済ＩＤ及び端末ＩＤを、患者ＩＤに対応付け事前登録情報として登録し、
第５処理は、サーバー手段で実行される処理であって、医療端末から、請求金額を含むとともに決済ＩＤに対応する請求情報を受信した場合、決済ＩＤ、及び、少なくとも会計情報中の請求金額を含む会計通知情報を、事前登録情報中、決済ＩＤに対応付けられた端末ＩＤを有する携帯端末に対して送信し、
第６処理は、携帯端末で実行される処理であって、第５処理で送信された会計通知情報に基づいてユーザーに通知を行うことを特徴とする
医療費管理システム。
【請求項２】
医療費管理システムは、第７処理、第８処理を実行可能とし、
第７処理は、携帯端末で実行される処理であって、サーバー手段から受信した会計通知情報に対し、ユーザーから支払い指示を受け付けた場合、指示された会計通知情報中の決済ＩＤに対する支払い指示をサーバー手段に送信し、
第８処理は、サーバー手段で実行される処理であって、携帯端末から決済ＩＤに対する支払い指示を受信した場合、決済ＩＤに対応する請求金額と、決済ＩＤに対応する端末ＩＤを、携帯事業者が運営する決済サーバーに送信することを特徴とする
請求項１に記載の医療費管理システム。
【請求項３】
第３処理は、第２処理で出力された決済ＩＤが入力された場合、決済ＩＤ、及び、携帯端末に対応する端末ＩＤ、及び、プログラムに登録されているクレジットカード情報を、クレジットカード事業者が運営するサーバー手段に送信し、
第５処理は、医療端末から、請求金額を含むとともに決済ＩＤに対応する請求情報を受信した場合、決済ＩＤに対応するクレジットカード情報に請求金額を課金する旨を、クレジットカード事業者が運営する決済サーバーに通知することを特徴とする
請求項１に記載の医療費管理システム。
【請求項４】
第４処理は、登録した事前登録情報中の患者ＩＤに対応する氏名、住所、電話番号を、コンビニ決済事業者が運営する決済サーバーに送信し、
第５処理は、医療端末から、請求金額を含むとともに決済ＩＤに対応する請求情報を受信した場合、第４処理で送信した氏名、住所、電話番号に対して請求金額を課金する旨を、コンビニ決済事業者が運営する決済サーバーに通知することを特徴とする
請求項１に記載の医療費管理システム。
【請求項５】
第４処理は、クレジットカード事業者が運営するサーバー手段、もしくは、コンビニ決済事業者が運営する決済サーバーに対し、クレジットカード情報、もしくは、氏名及び住所、電話番号に基づく与信を問い合わせ、与信が得られた場合に事前登録情報として登録することを特徴とする
請求項３または請求項４に記載の医療費管理システム。
【請求項６】
サーバー手段で実行される第４処理は、第３処理で事前登録情報を登録した場合、携帯端末もしくは受付手段の少なくとも一方に完了通知を送信することを特徴とする
請求項１から請求項５の何れか１項に記載の医療費管理システム。
【請求項７】
受付手段で実行される第２処理は、第１処理で発行された決済ＩＤに基づくコード情報を受付手段の表示部に表示し、
携帯端末で実行される第３処理は、受付手段に表示された識別情報を携帯端末のカメラで読み取ることで、携帯端末に決済ＩＤを入力することを特徴とする
請求項１から請求項６の何れか１項に記載の医療費管理システム。
【請求項８】
サーバー手段は、医療施設内に設置された院内サーバーと、医療施設外に設置され、複数の院内サーバーを管理する管理サーバーとを有することを特徴とする
請求項１から請求項７の何れか１項に記載の医療費管理システム。
【請求項９】
第５処理は、医療端末から、処方される薬に関する処方情報を受信した場合、処方情報に関連する処方通知情報を、事前登録情報中、決済ＩＤに対応付けられた端末ＩＤの携帯端末に対して送信することを特徴とする
請求項１から請求項８の何れか１項に記載の医療費管理システム。
【発明の詳細な説明】
【技術分野】
【０００１】
本発明は、病院、診療所等、各種医療施設で行われた診療に対する対価としての医療費を管理する医療費管理システムに関する。
【背景技術】
【０００２】
従来、各種医療施設で医師による診療が行われた場合、診療に対する対価として医療費が支払われることになる。例えば、患者が医療施設を訪問することで行われる外来医療の場合、患者は医療費を支払った後に帰宅することが行われている。医療施設側では、診療の終了後、医療費の計算を行って、患者から医療費を徴収している。患者側では医療費の支払いが終了するまでは医療施設を離れることができず、医療施設が混雑している場合には、長時間待つ必要があった。
【０００３】
このような医療施設での待ち時間を解消、短縮するため、医療費の後払いを可能とする各種システムが提案されている。特許文献１には、医療保険の自己負担分の支払いを後払いで行う際に好適な医療保険自己負担分の支払システム及び支払い方法が開示されている。また、特許文献２には、患者が所持する携帯電話の電話料金に対して医療費を課金する課金処理システムが開示されている。この課金処理システムでは、患者から伝達された携帯電話の電話番号、患者の名前及び生年月日を登録しておき、医療施設からこれら情報の照会を行い、一致したことを条件として、医療施設からの医療費の課金が許可される。このような構成により、電話料金を利用した後払いが可能となっている。
【先行技術文献】
【特許文献】
【０００４】
【特許文献１】特許第４４４３９４６号公報
【特許文献２】特許第５９１６１８１号公報
【発明の概要】
【発明が解決しようとする課題】
【０００５】
特許文献１に開示される医療保険自己負担分の支払システムでは、事前に利用登録者として登録しておく必要がある。そのため、まず患者は、支払立替機関あるいは医療機関において、サービス利用申し込みを行う。支払立替機関は、サービス利用申込を受付け、当該患者のサービス利用登録を行う。また、医療機関を介して支払立替機関が提供するサービスの利用申込が行なわれた場合、支払立替機関は、医療機関が受付けたサービス利用申込に基づいて、当該患者のサービス利用登録を行う必要がある。このように、特許文献１に開示される医療保険自己負担分の支払システムでは、予めもしくは、利用に先立ち、支払い立替えサービスの利用登録をしておく必要がある。
【０００６】
このように特許文献１に開示される医療保険自己負担分の支払システムでは、事前に利用登録者として登録しておく必要があり、急な発熱等で医療施設を訪れた患者が気軽に利用できるシステムではなかった。また、患者に対する請求金額、請求内容等については、従来と同様、郵送による紙ベースでの通知で行われることが考えられ、患者側では紙を使用する煩雑な管理を強いられていた。
【０００７】
また、特許文献２に開示される課金処理システムでは、予めシステムに登録してある患者の電話番号、患者の名前及び生年月日が、医療施設から紹介のあった同情報と一致することを利用の条件としているため、患者以外が医療費の支払いを行うことは難しい。
【課題を解決するための手段】
【０００８】
そのため、本発明に係る医療費管理システムは、以下の構成を採用する。
サーバー手段と、受付手段と、ユーザーが所持する携帯端末で実行されるプログラムを含んだ医療費管理システムであって、
第１〜第６処理を実行可能とし、
第１処理は、サーバー手段で実行される処理であって、受付手段に入力された患者ＩＤに対応付けられた決済ＩＤを発行し、
第２処理は、受付手段で実行される処理であって、第１処理で発行された決済ＩＤを出力し、
第３処理は、携帯端末で実行される処理であって、第２処理で出力された決済ＩＤが入力された場合、決済ＩＤ、及び、携帯端末に対応する端末ＩＤをサーバー手段に送信し、
第４処理は、サーバー手段で実行される処理であって、第３処理で携帯端末から送信された決済ＩＤ及び端末ＩＤを、患者ＩＤに対応付け事前登録情報として登録し、
第５処理は、サーバー手段で実行される処理であって、医療端末から、請求金額を含むとともに決済ＩＤに対応する請求情報を受信した場合、決済ＩＤ、及び、少なくとも会計情報中の請求金額を含む会計通知情報を、事前登録情報中、決済ＩＤに対応付けられた端末ＩＤの携帯端末に対して送信し、
第６処理は、携帯端末で実行される処理であって、第５処理で送信された会計通知情報に基づいてユーザーに通知を行うことを特徴とする。
【０００９】
さらに本発明に係る医療費管理システムは、第７処理、第８処理を実行可能とし、
第７処理は、携帯端末で実行される処理であって、サーバー手段から受信した会計通知情報に対し、ユーザーから支払い指示を受け付けた場合、指示された会計通知情報中の決済ＩＤに対する支払い指示をサーバー手段に送信し、
第８処理は、サーバー手段で実行される処理であって、携帯端末から決済ＩＤに対する支払い指示を受信した場合、決済ＩＤに対応する請求金額と、決済ＩＤに対応する端末ＩＤを、携帯事業者が運営する決済サーバーに送信することを特徴とする。
【００１０】
さらに本発明に係る医療費管理システムにおいて、
第３処理は、第２処理で出力された決済ＩＤが入力された場合、決済ＩＤ、及び、携帯端末に対応する端末ＩＤ、及び、プログラムに登録されているクレジットカード情報を、クレジットカード事業者が運営するサーバー手段に送信し、
第５処理は、医療端末から、請求金額を含むとともに決済ＩＤに対応する請求情報を受信した場合、決済ＩＤに対応するクレジットカード情報に請求金額を課金する旨を、クレジットカード事業者が運営する決済サーバーに通知することを特徴とする。
【００１１】
さらに本発明に係る医療費管理システムにおいて、
第４処理は、登録した事前登録情報中の患者ＩＤに対応する氏名、住所、電話番号を、コンビニ決済事業者が運営する決済サーバーに送信し、
第５処理は、医療端末から、請求金額を含むとともに決済ＩＤに対応する請求情報を受信した場合、第４処理で送信した氏名、住所、電話番号に対して請求金額を課金する旨を、コンビニ決済事業者が運営する決済サーバーに通知することを特徴とする。
【００１２】
さらに本発明に係る医療費管理システムにおいて、
第４処理は、クレジットカード事業者が運営するサーバー手段、もしくは、コンビニ決済事業者が運営する決済サーバーに対し、クレジットカード情報、もしくは、氏名及び住所、電話番号に基づく与信を問い合わせ、与信が得られた場合に事前登録情報として登録することを特徴とする。
【００１３】
さらに本発明に係る医療費管理システムにおいて、
第４処理は、第３処理で事前登録情報を登録した場合、携帯端末もしくは受付手段の少なくとも一方に完了通知を送信することを特徴とする
【００１４】
さらに本発明に係る医療費管理システムにおいて、
第２処理は、第１処理で発行された決済ＩＤに基づく識別情報を受付手段の表示部に表示し、
携帯端末で実行される第３処理は、受付手段に表示されたコード情報を携帯端末のカメラで読み取ることで、携帯端末に決済ＩＤを入力することを特徴とする。
【００１５】
さらに本発明に係る医療費管理システムにおいて、
サーバー手段は、医療施設内に設置された院内サーバーと、医療施設外に設置され、複数の院内サーバーを管理する管理サーバーとを有することを特徴とする。
【００１６】
さらに本発明に係る医療費管理システムにおいて、
第５処理は、医療端末から、処方される薬に関する処方情報を受信した場合、処方情報に関連する処方通知情報を、事前登録情報中、決済ＩＤに対応付けられた端末ＩＤの携帯端末に対して送信することを特徴とする。
【発明の効果】
【００１７】
本発明に係る医療費管理システムによれば、患者あるいは患者の家族等のユーザーが所持する携帯端末による簡単な事前登録操作で、当該携帯端末に対して、診療でかかった請求金額を含む会計通知情報を通知することが可能となる。また、事前登録に使用する携帯端末は、医療施設にかかった患者が所持する携帯端末に限られるものはなく、患者の保護者等が所持する携帯端末を使用することができ、さらに、１の携帯端末で複数の患者に関する会計通知情報を取り扱うこともできるため、診療費の管理が容易となる。
【００１８】
さらに本発明に係る医療費管理システムによれば、携帯事業者が運営する決済サーバーで課金することで、医療費を後払いすることが可能となる。したがって、ユーザーは会計窓口あるいは精算機で医療費の支払いを待つこと無く、帰宅することが可能となる。さらに、医療施設のスタッフは、医療費の支払いを待つユーザーのため、急いで会計情報を入力する必要が無く、従来、会計情報の入力に使用していた時間、スタッフを他の事務処理に割り振る等、事務処理の自由度の向上を図ることが可能となる。
【００１９】
さらに本発明に係る医療費管理システムによれば、クレジットカード事業者が運営する決済サーバーで課金することで、医療費を後払いすることが可能となる。また、携帯事業者に対する課金と同様、ユーザー及び医療施設のスタッフの利便性向上を図ることが可能となる。さらに、クレジットカード情報は、予めプログラムに登録しておくことで、ユーザーは、事前登録時にクレジットカードを取り出す、あるいは、所持しておく必要が無い。
【００２０】
さらに本発明に係る医療費管理システムによれば、コンビニ払い事業者が運営する決済サーバーで課金することで、医療費を後払いすることが可能となる。また、携帯事業者に対する課金と同様、ユーザー及び医療施設のスタッフの利便性向上を図ることが可能となる。
【００２１】
さらに本発明に係る医療費管理システムによれば、クレジットカード事業者、もしくは、コンビニ決済事業者に対して与信を得ることを条件として、医療費の支払いを行うことを可能としている。このような構成により、医療施設側において、医療費を確実に徴収することを可能とすることが可能となる。
【００２２】
さらに本発明に係る医療費管理システムによれば、携帯端末もしくは受付手段の少なくとも一方に事前登録が完了したことを通知することで、ユーザーは診療の後、自分の携帯端末で会計通知情報が通知されることを知る、さらには、医療費の後払いが完了し、診療後、そのまま帰宅できることを知ることが可能となる。
【００２３】
さらに本発明に係る医療費管理システムによれば、受付手段に表示された決済ＩＤに基づくコード情報を表示し、携帯端末のカメラで読み取るという簡単な操作によって、使用する携帯端末を登録することが可能となる。
【００２４】
さらに本発明に係る医療費管理システムによれば、サーバー手段は、医療施設内に設置された院内サーバーと、医療施設外に設置され、複数の院内サーバーを管理する管理サーバーとを有することとしている。このような構成により、医療施設内において秘匿性が必要な情報を院内サーバーにて適切に管理するとともに、管理サーバーにより複数の医療施設を統合して管理することが可能となる。
【００２５】
さらに本発明に係る医療費管理システムによれば、医療端末で入力された処方情報に関連する処方通知情報を、端末ＩＤの携帯端末に対して送信することとしている。このような構成により、ユーザーは、処方通知情報を薬局で提示する等することで、医療施設で処方された薬を受け取ることが可能となる。
【図面の簡単な説明】
【００２６】
【図１】医療費管理システムの構成を説明するための図
【図２】タブレット端末の構成を示すブロック図
【図３】携帯端末の構成を示すブロック図
【図４】医療端末の構成を示すブロック図
【図５】院内サーバーの構成を示すブロック図
【図６】管理サーバーの構成を示すブロック図
【図７】携帯電話料金による支払い時に実行される処理（診療前）を示すフロー図
【図８】携帯電話料金による支払い時に実行される処理（診療後）を示すフロー図
【図９】医療費管理システムで使用する各種情報のデータ構成
【図１０】タブレット端末に表示される支払い方法選択画面を示す図
【図１１】携帯電話料金による支払時におけるタブレット端末の画面遷移図
【図１２】携帯端末で実行される医療費管理用プログラムのメイン画面
【図１３】携帯端末で実行される医療費管理用プログラムの請求書画面
【図１４】携帯端末で実行される医療費管理用プログラムの支払い画面
【図１５】携帯端末で実行される医療費管理用プログラムの設定画面
【図１６】クレジットカードによる支払い時の処理（診療前）を示すフロー図
【図１７】クレジットカードによる支払い時の処理（診療後）を示すフロー図
【図１８】クレジットカードによる支払時におけるタブレット端末の画面遷移図
【図１９】コンビニエンスストアによる支払い時の処理（診療前）を示すフロー図
【図２０】コンビニエンスストアによる支払い時の処理（診療後）を示すフロー図
【図２１】コンビニエンスストアによる支払時におけるタブレット端末の画面遷移図
【発明を実施するための形態】
【００２７】
図１は、本実施形態における医療費管理システムの構成を説明するための図である。本実施形態では、医療施設（例えば、Ａ病院）に、タブレット端末１、院内サーバー３、医療端末４、再来受付機５、精算機６が設置されている。院内サーバー３、医療端末４、再来受付機５、精算機６はＬＡＮ７３を介して通信接続されている。また、ＬＡＮ７３上には、ルーター７２が設けられており、外部のネットワーク網（インターネットまたは通信事業者の閉域通信網）に通信接続されている。そして、タブレット端末１は、ＬＡＮ７３上に設けられた無線ルーター７１を介して、ＬＡＮ７３上の各種装置と通信接続されている。
【００２８】
また、医療施設外部には、ネットワーク網に通信接続された管理サーバー８、各種の決済サーバー９が通信接続されている。各種の決済サーバーとしては、携帯端末２の通信事業者によって運営される決済サーバー９ａ、クレジットカード事業者によって運営される決済サーバー９ｂ、コンビニ決済事業者によって運営される決済サーバー９ｃがある。
【００２９】
また、患者あるいは患者の医療費を支払うユーザーは、携帯端末２（スマートホン、携帯電話等）を所持している。携帯端末２は、各地に設けられた携帯基地局７４と無線通信を行うことで、通話あるいはネットワーク網を介したデータ通信を行うことが可能となっている。
【００３０】
本実施形態の医療費管理システムは、これら医療施設内外に設置された各種装置のうち、受付手段としてのタブレット端末１、サーバー手段としての院内サーバー３及び管理サーバー８、ユーザーが所持する携帯端末２で実行されるプログラム（アプリとも呼ばれる）を構成として必要としている。これら以外の装置は、医療費管理システムを運営する事業者以外の事業者等によって提供される。なお、本実施形態では、サーバー手段として、医療施設内に設置された院内サーバー３と医療施設外に設置された管理サーバー８を使用しているが、サーバー手段としては、これら院内サーバー３、及び、管理サーバー８の機能を実現できる形態であれば、その機能を集約する、あるいは、分散する等、各種の装置形態を採用することが可能である。
【００３１】
図２は、医療費管理システムにおいて受付手段として機能するタブレット端末１の構成を示すブロック図である。タブレット端末１は、制御部としてのＣＰＵ１１ａ、ＲＯＭ１１ｂ、ＲＡＭ１１ｃ、画像処理部１１ｄ、音声処理部１１ｅを有している。ＣＰＵ１１ａは、ＲＯＭ１１ｂあるいは記憶部１３に記憶されたプログラムに基づいて、タブレット端末１の処理全体を統括制御する。その際、一時的に生成されたデータなどはＲＡＭ１１ｃに記憶される。画像処理部１１ｄは、ＣＰＵ１１ａで生成されたデータを画像に変換し、表示部１２ａに表示出力する。音声処理部１１ｅは、ＣＰＵ１１ａで生成されたデータを音声に変換し、スピーカーから音声出力する。
【００３２】
本実施形態では、表示部１２ａとタッチパネル１２ｂとでタッチパネル表示部１２が構成されている。このタッチパネル１２ｂは、表示部１２ａに表示されるアイコンやスイッチなどの各種オブジェクトに対応して、ユーザーからの入力を受け付ける入力手段として機能する。タブレット端末１には、このタッチパネル１２ｂ以外にも機械的なスイッチなどの入力手段を設けることとしてもよい。タッチパネル１２ｂからの入力上方は、インターフェイス１４ａを介してＣＰＵ１１ａに伝達される。
【００３３】
記憶部１３は、フラッシュメモリ等の不揮発性メモリであり、タブレット端末１の記憶手段として機能する。記憶部１３には、タブレット端末１を動作させるために必要な各種プログラムや情報、あるいは、音声や映像などの各種コンテンツなどを記憶する。記憶手段としては、フラッシュメモリ以外に、ハードディスク等の各種記憶手段を使用することも可能である。
【００３４】
本実施形態のタブレット端末１は、さらに無線通信部１５を有している。この無線通信部１５は、アンテナ１５ａを備え、無線ＬＡＮ規格による無線通信を可能としている。タブレット端末１は、図１に示される無線ルーター７１と無線接続することで、ＬＡＮ７３にて構成されたネットワークに通信接続し、院内サーバー３、医療端末４等の各種装置、あるいは、ルーター７２を介したネットワーク網との通信を可能としている。
【００３５】
さらに、本実施形態のタブレット端末１は、医療施設で発行される診察券に設けられたＩＣチップの情報を読み取るＮＦＣセンサー１６（近接センサー）が設けられている。ＮＦＣセンサー１６は、インターフェイス１４ｂを介して、ＣＰＵ１１ａにセンサー情報を伝達可能としている。本実施形態では、タブレット端末１に、診察券をかざすことで、ＮＦＣセンサー１６はＩＣチップ内の患者ＩＤ等、各種情報を読み取ることが可能である。また、タブレット端末１には、外部装置としてのプリンター１７がインターフェイス１４ｂを介して接続されている。タブレット端末１で処理される各種情報は、この有線接続されたプリンター１７で印字することが可能である。なお、プリンター１７は、このようにタブレット端末１に有線接続された形態ではなく、ＬＡＮ７３、あるいは、無線ルーター７１によって形成されるネットワークに間接的に接続された形態であってもよい。
【００３６】
本実施形態では、このタブレット端末１を受付手段として使用しているが、受付手段としてはタブレット端末１を使用する以外に、再来受付機５を使用してもよい。再来受付機５は、診察券が発行されている患者が、再診時に使用する装置である。来院した患者は、この再来受付機５に診察券を読み取らせることで来院受付を行う。その際、整理番号を記載した整理券を発行することも可能である。
【００３７】
図３は、ユーザーが所持する携帯端末２の構成を示すブロック図である。携帯端末２は、制御部としてのＣＰＵ２１ａ、ＲＯＭ２１ｂ、ＲＡＭ２１ｃ、画像処理部２１ｄ、音声処理部２１ｅを有している。ＣＰＵ２１ａは、ＲＯＭ２１ｂあるいは記憶部２３に記憶されたプログラムに基づいて、携帯端末２の処理全体を統括制御する。その際、一時的に生成されたデータなどはＲＡＭ２１ｃに記憶される。画像処理部２１ｄは、ＣＰＵ２１ａで生成されたデータを画像に変換し、表示部２２ａに表示出力する。音声処理部２１ｅは、ＣＰＵ２１ａで生成されたデータを音声に変換し、スピーカーから音声出力する。
【００３８】
本実施形態では、タブレット端末１と同様、表示部２２ａとタッチパネル２２ｂとでタッチパネル表示部２２が構成されている。また、記憶部２３についてもタブレット端末１と同様、フラッシュメモリ等の不揮発性メモリが使用されている。
【００３９】
本実施形態の携帯端末２は、無線通信部２５を有している。この無線通信部２５は、アンテナ２５ａを備え、携帯無線網を使用した無線通信を可能としている。携帯端末２は、図１に示される携帯基地局７４と無線接続することで、通話あるいはネットワーク網を介したデータ通信を行うことが可能となっている。特に、本実施形態では、ネットワーク網に接続されている管理サーバー８、各種決済サーバー９と通信することが可能となっている。
【００４０】
さらに本実施形態の携帯端末２は、撮影を行うためのカメラ２６を有している。カメラ２６は、携帯端末２のタッチパネル表示部２２とは反対の面に設けられており、インターフェイス２４ｂを介して内部バスと接続されている。本実施形態では、タブレット端末１に表示されるＱＲコード（登録商標）、バーコード等のコード情報を読み取る読み取り手段として機能する。
【００４１】
図４は、医療施設に設置される医療端末４の構成を示すブロック図である。医療端末４は、医療施設のスタッフによって使用される端末であり、新規患者の登録、あるいは、会計情報の入力、管理等を行うことが可能である。医療端末４は、制御部としてのＣＰＵ４１ａ、ＲＯＭ４１ｂ、ＲＡＭ４１ｃ、画像処理部４１ｄを有している。ＣＰＵ４１ａは、ＲＯＭ４１ｂあるいは記憶部４２に記憶されたプログラムに基づいて、医療端末４の処理全体を統括制御する。その際、一時的に生成されたデータなどはＲＡＭ４１ｃに記憶される。画像処理部４１ｄは、ＣＰＵ４１ａで生成されたデータを画像に変換し、表示部４５に表示出力する。
【００４２】
医療端末４は、ＬＡＮ７３と通信するための通信部４３を有している。また、医療端末４には、各種情報を入力するためのキーボード４６ａ、マウス４６ｂが接続されている。また、本実施形態では、診察券内のＩＣチップに対し、各種情報を読み書きするためのカードリード・ライターが接続されている。これら各種入出力機器は、医療端末４のインターフェイス４４を使用して接続されている。
【００４３】
図５は、医療施設内に設置される院内サーバー３の構成を示すブロック図である。院内サーバー３は、医療施設内の各種情報を記憶、処理する装置である。院内サーバー３は、制御部としてのＣＰＵ３１ａ、ＲＯＭ３１ｂ、ＲＡＭ３１ｃを有している。ＣＰＵ３１ａは、ＲＯＭ３１ｂあるいは記憶部３２に記憶されたプログラムに基づいて、院内サーバー３の処理全体を統括制御する。その際、一時的に生成されたデータなどはＲＡＭ３１ｃに記憶される。院内サーバー３は、ＬＡＮ７３と通信するための通信部３３を有している。
【００４４】
図６は、医療施設外に設置される管理サーバー８の構成を示すブロック図である。管理サーバー８は、医療施設の各種情報を記憶、処理する装置である。図１では１の医療施設（Ａ病院）を例に取って記載しているが、管理サーバー８は、複数の医療施設の各種情報を記憶、処理することも可能である。管理サーバー８は、制御部としてのＣＰＵ８１ａ、ＲＯＭ８１ｂ、ＲＡＭ８１ｃを有している。ＣＰＵ８１ａは、ＲＯＭ８１ｂあるいは記憶部８２に記憶されたプログラムに基づいて、管理サーバー８の処理全体を統括制御する。その際、一時的に生成されたデータなどはＲＡＭ８１ｃに記憶される。管理サーバー８は、ネットワーク網と通信するための通信部８３を有している。なお、図１に記載する各種の決済サーバー９ａ〜９ｂも管理サーバー８と同様、通常のサーバー構成を有している。
【００４５】
以上、図１中の各種装置構成について説明したが、次に本実施形態の医療管理システムで実行される各種処理について説明する。図７は、本実施形態の医療費管理システムで実行される処理（診療前）を示すフロー図である。従来、医療施設での診療を終えたユーザー（患者あるいは患者の保護者）は、医療施設内の会計窓口あるいは精算機６にて医療費の支払いを終えた後に帰宅する。したがって、自己の医療費の計算が終了するまでは、医療施設内で待つことが通常であった。本実施形態の医療費管理システムは、医療費を後払いすることを事前登録しておくことで、診療後に医療費の支払いを行うこと無く、帰宅することが可能となっている。本実施形態では、医療費の後払いの事前登録を、タブレット端末１を使用して行うこととしている。
【００４６】
医療費の後払いを希望するユーザーは、タブレット端末１を使用して事前登録を行う。図１０は、タブレット端末１のタッチパネル表示部１２に表示される支払い方法選択画面である。本実施形態では、３つの支払い方法（携帯電話料金との合算による支払い、クレジットカードによる支払い、コンビニエンスストアでの支払い）の中から選択することが可能である。支払い方法選択画面には、これら支払い方法を選択するための選択ボタン１２ｃ〜１２ｅが設けられており、ユーザーは希望する支払い方法に対応した選択ボタン１２ｃ〜１２ｅを選択する。なお、本実施形態では、携帯電話料金との合算、クレジットカードによる支払いについては、携帯端末２にプログラム（アプリ）をインストールしておくことが必要な旨、明記されている。医療費管理用プログラムをインストールしていないユーザーは、医療施設のスタッフの指示等に従い、医療費管理用プログラムをインストールする。なお、この支払い方法法選択画面に、医療費管理用プログラムをダウンロード可能なリンク情報（ＱＲコード（登録商標）等の表示による）を表示してもよい。ユーザーは携帯端末２のカメラ２６を使用してリンク情報を撮影することで、簡単に医療費管理用プログラムをダウンロードし、携帯端末２にインストールすることが可能となる。現状、携帯端末２に対する各種プログラム（アプリ）のインストールは、携帯通信網を介して簡単に行うことが可能である。したがって、医療施設を訪れた際に、この医療費の後払いサービスを知った場合であっても、ユーザーはその場でプログラム（アプリ）を携帯端末２にインストールして、即利用することが可能である。
【００４７】
まず、ユーザーが携帯電話料金との合算による支払いを選択した場合、すなわち、図１０の選択ボタン１２ｃを選択した場合について説明する。図１１は、携帯電話料金による支払時におけるタブレット端末１の画面遷移図である。支払い方法選択画面での支払い方法の選択後、タブレット端末１には、図１１（Ａ）の診察券読み取り画面が表示される。ユーザーは、この診察券読み取り画面の指示に従い、タブレット端末１の所定位置に診察券をかざすことで、診察券に記憶された患者ＩＤを読み取らせる。タブレット端末１は、ＮＦＣセンサー１６を使用して、診察券内のＩＣチップに記憶された患者ＩＤを読み取り、選択された支払い方法（この場合、携帯電話料金との合算による支払い方法、並びに、患者ＩＤ）を院内サーバー３に送信する（Ｓ１０１）。本実施形態では、ＩＣチップ形態の診察券を使用しているが、診察券には、この他、磁気カードを使用した形態もある。磁気形態を使用した診察券の場合には、タブレット端末１に、磁気カードを読み取ることの出来るカードリーダーを接続し、磁気カードに記録された患者ＩＤを読み取ることとしてもよい。この他、診察券に表示されている患者ＩＤをユーザーがタブレット端末１に入力する形態であってもよい。しかしながら、セキュリティ面上、診察券に記録された情報を、タブレット端末１に内蔵、あるいは、接続されたセンサー（ＮＦＣセンサー、あるいは、カードリーダー）で読み取る形態が好ましい。
【００４８】
なお、初診の患者等、診察券を所持していないユーザーは、医療施設の窓口にて初診票を記入し、診察券を発行して貰った後、タブレット端末１を使用して後払いの事前登録を行う。初診票には、図８（Ａ）に示すように氏名、性別、住所、電話番号（自宅）、使用する保険名等の各種情報が記載される。医療施設のスタッフは、医療端末４を使用して、初診票に記載の情報を入力し、院内サーバー３に登録する。その際、各患者には医療施設内でユニークな患者ＩＤが割り当てられる。医療施設のスタッフは、カードリード・ライター４７を使用して、患者に割り当てられた患者ＩＤを、診察券のＩＣチップに書き込み、患者に診察券を発行する。
【００４９】
タブレット端末１から患者ＩＤを受信した院内サーバー３は、患者ＩＤを有する患者情報を取得し（Ｓ２０１）、患者情報の一部（本実施形態では、氏名、生年月日）をタブレット端末１に返信する（Ｓ２０２）。タブレット端末１は、受信した患者情報に基づいて、図１１（Ｂ）に示す確認画面を表示し、患者に間違いないかを確認させる。確認画面には、患者情報表示欄１２ｇが設けられており、受信した氏名と生年月日が表示される。また、確認画面には、間違い等の事情により初期画面へ戻る移動ボタン１２ｈ、次の処理に進むための移動ボタン１２ｉが設けられている。患者情報表示欄１２ｇの表示内容に間違いないことを確認したユーザーにより、移動ボタン１２ｉが操作されると、タブレット端末１は、院内サーバー３に対して確認の指示を通知する（Ｓ１０３）。
【００５０】
患者ＩＤを受信した院内サーバー３は、患者ＩＤに対応する業者管理ＩＤの登録有無を確認する（Ｓ２０３）。業者管理ＩＤは、医療費管理システムを運営する業者が、複数の医療施設を管理するために設けられた識別情報である。医療費管理システムを運営する業者は、一律の基準（例えば、業者管理ＩＤを所定桁数の数字とする等）のもとで業者管理ＩＤを付与している。患者ＩＤは、医療施設側で管理するＩＤであるため、医療施設によって異なることが考えられる。医療費管理システムを運営する業者は、複数の医療施設を管理するため、医療施設に対応する施設ＩＤと各医療施設に属する患者ＩＤの組に対して、ユニークな業者管理ＩＤを割り当てている。このような業者管理ＩＤを使用することで、各医療施設に属する患者を識別することが可能となる。さらに、一律の基準で付与されているできるため、医療費管理システムを運営する業者においても管理が容易となっている。図９（Ｂ）には、業者管理ＩＤを含む業者管理情報が記載されている。本実施形態では、業者管理情報内において、業者管理ＩＤは、医療施設で割り当てられる患者ＩＤ、及び、医療施設毎に割り当てられる施設ＩＤの組に対してユニークに割り当てられている。
【００５１】
医療費管理システムにおいて、患者ＩＤに対して業者管理ＩＤが登録されていない場合（Ｓ２０３：Ｎｏ）には、院内サーバー３は、管理サーバー８に対して業者管理ＩＤの発行を要求する（Ｓ２０４）。その際、院内サーバー３は、対象となる患者の患者ＩＤ、及び、医療施設の施設ＩＤの組を管理サーバー８に送信する。業者管理ＩＤの発行要求を受けた管理サーバー８は、受信した患者ＩＤ、施設ＩＤに対応付けて業者管理ＩＤを登録、発行（Ｓ３０１）し、要求のあった院内サーバー３に送信する（Ｓ３０２）。院内サーバー３は、受信した業者管理ＩＤを患者ＩＤに対応付けて登録する（Ｓ２０５）。
【００５２】
院内サーバー３は、登録された業者管理ＩＤに対応付けて決済ＩＤを発行する（Ｓ２０６）。この決済ＩＤは、今回の診療に対する医療費に対応付けられる識別情報である。例えば、ユーザーが複数回、来院した場合、来院毎に決済ＩＤが割り当てられることになる。すなわち、今回の来院の医療費の支払いに対する識別情報ということができる。管理ＩＤを発行した後、院内サーバー３は、タブレット端末１に対して決済ＩＤを送信する。本実施形態では、院内サーバー３で、決済ＩＤをコード情報（例えば、ＱＲコード（登録商標））に変換し、タブレット端末１で表示させている（Ｓ１０４）。なお、決済ＩＤのコード情報への変換は、院内サーバー３で行うことに代え、タブレット端末１側で行うこととしてもよい。
【００５３】
図１１（Ｃ）は、タブレット端末１に表示されるコード読み取り画面である。このコード読み取り画面には、決済ＩＤを含むコード情報が表示された決済ＩＤ表示欄１２ｊが設けられている。ユーザーは、携帯端末２においてインストールされている医療費管理用プログラムを起動し、表示されたコード情報をカメラ２６で撮影する。携帯端末２は撮影されたコード情報から決済ＩＤを抽出する（Ｓ４０１）。なお、携帯端末２に対する決済ＩＤの入力は、このようなコード情報の撮影の他、タブレット端末１に文字、数字等で決済ＩＤを表示し、ユーザーが操作することで表示された決済ＩＤを入力する、あるいは、タブレット端末１から携帯端末２に対して無線送信する等、各種形態を採用することが可能である。
【００５４】
その後、医療管理費用プログラムは、抽出した決済ＩＤ、携帯端末２に固有の端末ＩＤ、支払い方法等を含んだ情報を、携帯通信網を介して管理サーバー８に送信する（Ｓ４０２）。医療費管理用プログラムには、アクセス先としての管理サーバー８のアドレスが登録されており、携帯端末は管理サーバー８と通信することが可能となっている。本実施形態の端末ＩＤは、医療費管理用プログラムを携帯端末２にインストールした際、医療費管理用プログラムに対してユニークに割り当てられる識別情報である。管理サーバー８は、この端末ＩＤを使用して、Ｇｏｏｇｌｅ（登録商標）やＡｐｐｌｅ（登録商標）等のプログラム配信業者が運営するサーバーを介して、医療費管理用プログラムをインストールした携帯端末２に対して各種情報を送信することが可能である。なお、端末ＩＤとしては、このような医療費管理用プログラムに対してユニークに割り当てられる識別情報に代え、携帯端末２の製造番号等、管理サーバー８から携帯端末２を特定することのできる識別情報であれば各種形態を採用することが可能である。
【００５５】
管理サーバー８は、受信した情報に業者管理ＩＤを対応付けて事前登録情報として記憶部８２に登録する（Ｓ３０４）。そして、管理サーバー８は、院内サーバー３に対して事前登録情報を送信するとともに、携帯端末２に対して支払い登録完了通知を行う（Ｓ３０５）。本実施形態では、携帯端末２に対しては、決済ＩＤ、端末ＩＤの送信（Ｓ４０２）に対する返信として行っているが、あるいは、携帯端末２の端末ＩＤを使用して携帯端末２を特定し、通知することとしてもよい。図９（Ｃ）には、管理サーバー８等に登録される事前登録情報のデータ構成例が示されている。本実施形態の事前登録情報には、携帯端末２から受信した決済ＩＤ、端末ＩＤ、支払い方法に対して、業者管理ＩＤが対応付けて登録される。
【００５６】
支払い完了通知を受信した携帯端末２では、タッチパネル表示部２２に支払登録が完了した旨を表示する（Ｓ４０３）。一方、事前登録情報を受信（Ｓ２０９）した院内サーバー３は、ネットワーク接続されたタブレット端末１に対して、支払登録が完了した旨を通知する（図示せず）。通知を受信したタブレット端末１は、図１１（Ｄ）に示す完了通知画面を表示し、携帯電話料金との合算による支払い登録が完了した旨をユーザーに通知する（Ｓ１０５）。このように本実施形態では、支払登録の完了通知をタブレット端末１、携帯端末２の両方に対して行うこととしているが、支払登録完了の通知は、どちらか一方であってもよい。
【００５７】
以上、図７で説明した一連の処理を行うことで、携帯電話料金との合算による支払い登録が完了する。ユーザーは、この後、医療施設にて診療を受けることになる。診療後、医療施設内の会計窓口、あるいは、精算機６を使用して医療費の支払いを行うことが通常であるが、携帯電話料金との合算による支払い登録を行ったユーザーは、会計窓口あるいは精算機６での医療費の支払いを行うこと無く帰宅することが可能となる。
【００５８】
図８は、本実施形態の医療費管理システムで実行される処理（診療後）を示すフロー図である。診療後、医療行為の内容、請求金額等が確定すると、医療施設のスタッフは、医療端末４を使用して請求金額を含む会計情報を入力する（Ｓ５５１）。従来、会計情報の入力を終え、ユーザーから請求金額を徴収するまでは、ユーザーは帰宅することができなかった。その際、医療施設のスタッフは、ユーザーをできるだけ待たせないためにも、会計情報はできるだけ早く入力する必要があった。本実施形態では、医療施設内で支払いを待つユーザーが居ないため、スタッフは時間の余裕を持って会計情報を入力することが可能である。したがって、従来、会計情報の入力に使用していた時間、スタッフを他の事務処理に割り振る等、事務処理の自由度の向上を図ることが可能となっている。
【００５９】
図９（Ｄ）は、会計情報のデータ構成例を示した図である。会計情報は、発行された決済ＩＤに対応付けられており、発行日、受診科、保険名、保険負担割合、請求金額などを含んで構成されている。この他、診療内容などを含んで構成されてもよい。医療端末４で入力された会計情報は、院内サーバー３に送信される（Ｓ５５２）。会計情報を受信した院内サーバー３は、受信した会計情報を記憶部３２に登録すると共に、管理サーバー８に転送する（Ｓ３５１）。会計情報を受信した管理サーバー８は、会計情報を記憶部８２に登録（Ｓ３５１）し、会計情報に基づいて形成された会計通知情報を携帯端末２に携帯通信網を使用してプッシュ送信する（Ｓ３５２）。ここで、携帯端末２に対するプッシュ送信は、会計情報中の決済ＩＤを有する事前登録情報を参照し、当該事前登録情報内の端末ＩＤを使用して行われる。本実施形態の端末ＩＤは、医療費管理用プログラムに対してユニークに割り当てられる識別情報である。管理サーバー８は、Ｇｏｏｇｌｅ（登録商標）やＡｐｐｌｅ（登録商標）等のプログラム配信業者が運営するサーバーを介して、医療費管理用プログラムをインストールした携帯端末２に対して会計通知情報をプッシュ送信する。会計通知情報には、医療端末４で入力された会計情報中の各種情報、そして、会計情報に対応する患者情報、また、医療端末４で入力された医療明細に必要な診療に関する情報等、ユーザーに通知する各種情報を含んで構成される。
【００６０】
会計通知情報を受信した携帯端末２では、医療費管理用プログラム上において、会計通知情報を閲覧することが可能である。なお、会計通知情報を受信した際、携帯端末２では、ユーザーに対して音、振動、画面の表示等を使用して、携帯端末２を所持するユーザーに受信したことを通知することとしてもよい。図１２は、携帯端末２で実行される医療費管理用プログラムのメイン画面である。このメイン画面は医療費管理用プログラム起動直後にタッチパネル表示部２２に表示される画面であって、画面上部に患者切替ボタン２２ｉ、設定ボタン２２ｈが設けられ、画面中央に計算中医療費欄２２ｃ、お薬引換欄２２ｄ、未支払い欄２２ｅ、支払い済み欄２２ｆが設けられ、また、画面下方にはコード情報読み取りボタン２２ｇが設けられている。図１１（Ｃ）で説明したコード読み取り画面に表示されるコード情報を読み取る際は、このコード情報読み取りボタン２２ｇを操作することで、カメラ２６を撮影状態として、コード情報を読み取ることが可能となる。
【００６１】
計算中医療費欄２２ｃは、医療端末４で会計情報が入力されていない医療費に関する欄である。図７の支払登録完了通知（Ｓ３０５）において、日付、医療施設名等を支払登録完了通知に含めておくことで、携帯端末２で参照可能となる。会計通知情報を受信した場合、この計算中医療費欄２２ｃの情報は削除され、会計通知情報に関する情報は、未支払い欄２２ｅに表示される。未支払い欄２２ｅには、日付、医療施設名が表示されている。欄の右に表示される矢印形状のボタンを操作することで、会計通知情報の詳細を表示する請求書画面が表示される。
【００６２】
図１３は、携帯端末２で実行される医療費管理用プログラムの請求書画面である。請求書画面には、管理サーバー８から受信した会計通知情報に基づく各種情報が表示される。本実施形態では、医療施設名、業者管理ＩＤ、氏名等を含む患者情報２２ｋ、保険名、請求期間、受診科、発行日、決済ＩＤ、請求金額２２ｐ、保険負担割合、治療費等、医療費の内訳を含む会計情報２２ｍが表示されている。また、請求画面の上方には、切替ボタン２２ｊが設けられており、図１３に表示されている請求書と、診療の詳細を示す診療明細書を切り替えて表示することが可能となっている。そして、請求画面の下方には、支払いボタン２２ｎが表示されている。この支払いボタン２２ｎを操作することで、携帯電話料金との合算による支払いを指示することが可能となっている。
【００６３】
請求書画面において、請求書、診療明細書の内容を確認したユーザーは、支払いボタン２２ｎを操作することで、管理サーバー８に支払い指示を送信する（Ｓ４５２）。この支払い指示には、請求書画面に表示されている請求に対応する決済ＩＤが含まれている。支払い指示を受信した管理サーバー８は、支払い指示中の決済ＩＤに対応する会計情報に基づき、携帯事業者によって運営される決済サーバー９ａに請求依頼情報を送信する（Ｓ３５３）。図９（Ｅ）には、請求依頼情報のデータ構成が示されている。請求依頼情報には、医療施設の施設ＩＤ、端末ＩＤ、請求金額が含まれている。ここで、重要なのは請求依頼情報には、患者の氏名等、個人情報が含まれていない点である。医療施設で管理する患者情報は、その取り扱いが厳格となっており、できる限り外部に送信しないことが好ましい。そのため、本実施形態では、管理サーバー８から決済サーバー９ａに対して、患者情報中の情報等、誰に対する請求であるのかを特定する情報送信しないようにしている。本実施形態では、請求金額を請求する主体としての医療施設を特定する施設ＩＤ、請求対象となる決済ＩＤと事前登録情報で紐付けられた端末ＩＤ、請求対象となる決済ＩＤに対応する会計情報中の請求金額を含んで構成されている。このように本実施形態では、管理サーバー８から決済サーバー９ａに対しては、請求対象となるユーザーの情報として、当該ユーザーが所持する携帯端末２の端末ＩＤのみが送信される。
【００６４】
請求依頼情報を受信した決済サーバー９ａは、受信した請求依頼情報中の端末ＩＤに対応する携帯端末２に対して、請求先用ＵＲＬを送信する（Ｓ６５１）。この請求先用ＵＬＲの送信は、先に説明した管理サーバー８から携帯端末２へのプッシュ送信と同様、プログラム配信業者が運営するサーバーを介して送信される。請求用ＵＲＬを受信した携帯端末２では、請求用ＵＲＬにアクセスし、請求用ＵＲＬにて提供される支払い画面を表示する（Ｓ４５３）。図１４は、携帯端末２で実行される医療費管理用プログラムの支払い画面を示す図である。支払い画面は、決済サーバー９ａで提供される入力画面であり、ログインＩＤ入力欄２２ｑ、パスワード入力欄２２ｒ、ログインボタン２２ｓを有して形成されている。
【００６５】
携帯端末２を使用するユーザーからみると、請求画面の支払いボタン２２ｎを操作することで、この支払い画面が表示されることになる。この支払い画面において、ユーザーは、携帯事業者に対して予め登録されているアカウント情報（ログインＩＤ、パスワード）を入力する。ユーザーは、この支払い画面において、自己のアカウント情報を入力し、ログインボタン２２ｓを操作することで、図１３に示される請求書で指示した請求金額の支払いを完了することになる。決済サーバー９ｃでは、ログインボタン２２ｓの操作の結果、受信したアカウント情報が正しく認証された場合、アカウント情報に対応付けられる携帯電話番号に対して、請求書の請求金額を合算する。このような処理により、医療費としての請求金額は、携帯事業者により携帯電話料金と一緒に徴収されることになる。支払いが完了した場合、メイン画面中、未支払い欄２２ｅの情報は削除され、会計通知情報に関する情報は支払い済み欄２２ｆに表示される。
【００６６】
なお、メイン画面では、設定ボタン２２ｈを操作することで、医療費管理用プログラムについて各種設定を行うことが可能である。図１５は、携帯端末２で実行される医療費管理用プログラムの設定画面である。設定画面には、保存先設定欄２２ｔ、セキュリティ設定欄２２ｕ、かかりつけ薬局設定欄２２ｖ、クレジットカード設定欄２２ｗが設けられている。保存先設定欄２２ｔには、これまでに受信した会計通知情報をクラウド上に保存するためのボタンが表示されている。ボタンをオン状態とすることで、予め設定されているクラウド上のサーバーに、会計通知情報のバックアップを保存する。クラウド上に保存しておくことで、例えば、携帯端末２を紛失、あるいは、機種変更した際、新たな携帯端末２上に会計通知情報を復元すること、あるいは、携帯端末２とは異なる端末（例えば、家庭のパーソナルコンピュータ）からクラウドにアクセスし、会計通知情報を参照することが可能となる。
【００６７】
セキュリティ設定欄２２ｕは、医療費管理用プログラムの起動時に問われるパスワードを設定する欄である。本実施形態では、４桁の数字をパスワードとして登録しておくことで他者による医療管理用プログラムの使用、あるいは、会計通知情報の閲覧を抑制することが可能となる。かかりつけ薬局設定欄２２ｖは、診療後に処方される処方箋を送信する薬局を設定する欄である。このかかりつけ薬局設定欄２２ｖにかかりつけ薬局を登録しておくことで、診療後に処方された処方箋を、登録されている、かかりつけ薬局に送信することが可能である。処方箋の送信は、薬局に対応した送信方法（例えば、ファックス、電子メール、あるいは、薬局内のサーバーに対する直接送信）で行うことが可能である。なお、かかりつけ薬局としては、診療を行った医療施設内の薬局（院内薬局）を設定することも可能である。
【００６８】
メイン画面のお薬引換欄２２ｄには、このかかりつけ薬局設定欄２２ｖに設定された薬局に対応する処方通知情報が表示される。お薬引換欄２２ｄの右側に表示されている矢印型のアイコンを操作することで、処方通知情報の詳細が表示される（図示せず）。処方通知情報は、医療端末４で入力された処方情報（処方箋）中、指定された薬に関する情報、あるいは、かかりつけ薬局に処方箋を送信した際、かかりつけ薬局で発行された整理番号（整理ＩＤ）であって、会計通知情報と同様、端末ＩＤに基づいて、管理サーバー８から携帯端末２に送信される情報である。ユーザーは、携帯端末２に表示された整理番号をかかりつけ薬局に提示（その際、自身を証明するための健康保険証、診察券などを合わせて提示する必要がある場合もある）することで、医療施設で処方された薬を受け取ることが可能となる。
【００６９】
クレジットカード設定欄２２ｗは、図１０の支払い方法選択画面においてクレジットカードによる支払いを選択したときに使用されるクレジットカードを設定する欄である。このクレジットカード設定欄２２ｗに、医療費の支払いに使用するクレジットカードを登録しておくことで、ユーザーは支払い方法の事前登録時に、クレジットカードを取り出す必要が無い、あるいは、クレジットカードを持参していなくてもクレジットカードを使用した支払いの事前登録を行うことが可能である。なお、本実施形態では、クレジットカード設定欄２２ｗには、複数のクレジットカードを登録することが可能であり、事前登録を行う都度、使用するクレジットカードを選択することが可能となっている。
【００７０】
ところで、本実施形態の医療費管理用プログラムは、携帯端末２の契約者だけでなく、複数の患者の医療費を管理することが可能となっている。例えば、未成年等、支払い能力の無い患者については、その保護者となる親が代わって医療費を支払うことになる。このような状況を想定し、本実施形態の医療費管理用プログラムでは、複数の患者の医療費を一括して管理することが可能となっている。このような機能は、図７のフロー図で説明したように、事前登録において支払いを指定する携帯端末２を通知する、すなわち、管理サーバー８に対し、携帯端末２の端末ＩＤを通知するという構成で実現可能となっている。すなわち、携帯端末２を所持するユーザーは、患者とは無関係であっても構わない構成となっている。さらに、このような構成により、携帯端末２において、自己の家族等、複数の患者の医療費を管理することが可能となっている。そのため、図１２で説明した本実施形態のメイン画面には、患者切替ボタン２２ｉが設けられており、この患者切替ボタン２２ｉを操作することで、管理対象となる患者を切り替えることが可能となっている。メイン画面には、患者切替ボタン２２ｉの操作によって選択された患者に対する情報が表示される。
【００７１】
このように本実形態の医療費管理用プログラムでは、複数の患者の医療費に関する情報を１の携帯端末２で管理することが可能となっている。そのため、例えば、同じ世帯の家族について医療費管理用プログラムで扱うことで、確定申告時における医療費控除に必要な医療費の計算を容易に行うことが可能となる。また、医療費管理用プログラムが、最近人気を集めているクラウド型の会計ソフト等と連携し、会計ソフトに対して医療費に関する情報を送信することで、確定申告を更に容易にすることも可能となる。
【００７２】
以上、携帯電話料金との合算による支払いについて説明したが、次に、クレジットカードによる支払いについて説明する。図１６は、クレジットカードによる支払い時の処理（診療前）を示すフロー図であり、図１７は、クレジットカードによる支払い時の処理（診療後）を示すフロー図である。また、図１８は、クレジットカードによる支払時におけるタブレット端末の画面遷移図である。図１６、図１７のフロー図において多くの部分は、図７、図８で説明した処理と共通である。ここでは、図７、図８と異なる部分を説明する。フロー図中、破線で囲われた箇所が特に異なる箇所である。
【００７３】
図１６中、Ｓ１０１‘では、ユーザーは、図１０に示す支払い方法選択画面で、クレジットカードによる支払いを選択する。その後、ユーザーが所持する携帯端末２での決済ＩＤの抽出（Ｓ４０１）までは、携帯電話料金との合算による支払いと同様の処理が行われる。決済ＩＤが抽出されると、携帯端末２は、決済ＩＤ、端末ＩＤに加え、医療費管理用プログラムにユーザーが登録しているクレジットカード番号等を含むクレジットカード情報を送信する（Ｓ４０２’）。前述したように、医療費管理用プログラムでは、複数のクレジットカード情報が登録可能であるため、複数のクレジットカード情報が登録されている場合には、何れか１のクレジットカード情報をユーザーに選択させる。
【００７４】
携帯端末２から送信されたこれら情報は、携帯通信網を介して管理サーバー８に送信される。携帯端末２から情報を受信した管理サーバー８では、クレジットカード情報に対応する決済サーバー９ｂに対して、与信依頼処理（Ｓ３１３’）を実行する。与信依頼処理は、クレジットカード情報に対応するユーザーに支払い能力があるか否かを判定して貰う処理である。本実施形態では、与信依頼処理で支払い能力があると判定された場合、医療費の与信枠（例えば、５万円）を、クレジットカード業者で確保することとしている。例えば、ユーザーのクレジットカードに対する支払いが滞った場合であっても、クレジット業者にて医療施設に対する医療費（与信枠までの金額）が支払われることになる。決済サーバー９ｂから与信の確認ができた場合（Ｓ３１４）、管理サーバー８は、事前登録情報の登録を行う（Ｓ３０４）。
【００７５】
診療後、図１７に示すように医療端末４で会計情報が入力されると、院内サーバー３、管理サーバー８において会計情報が登録される。管理サーバー８は、会計情報に基づく会計通知情報を携帯端末２に対してプッシュ送信する（Ｓ３５２）。また、管理サーバー８は、決済サーバー９ｂに対して会計情報に基づく請求依頼情報を送信する（Ｓ３５３）。決済サーバー９ｂでは、与信依頼処理において事前登録したクレジットカード情報に対して、請求依頼情報内の請求金額を課金する（Ｓ６５３’）。
【００７６】
次に、コンビニエンスストアでの支払いについて説明する。図１９は、コンビニエンスストアでの支払い時の処理（診療前）を示すフロー図であり、図２０は、コンビニエンスストアでの支払い時の処理（診療後）を示すフロー図である。また、図２１は、コンビニエンスストアでの支払時におけるタブレット端末の画面遷移図である。図１９、図２０のフロー図において多くの部分は、図７、図８で説明した処理と共通である。ここでは、図７、図８と異なる部分を説明する。フロー図中、破線で囲われた箇所が特に異なる箇所である。なお、コンビニエンスストアでの支払いでは、携帯端末２を使用しないで事前登録することも可能である。図１９、図２０は、携帯端末２を使用して、会計通知情報等を受信する場合について記載した例である。また、コンビニエンスストアでの支払いが選択された場合、ユーザーの住所に対して、診療費の払込票が郵送されることになる。
【００７７】
図１９に示す支払い方法選択画面で、コンビニエンスストアでの支払いが選択された場合（Ｓ１０１’’）、図１９、図２０のフロー図による処理が実行される。ここでタブレット端末１に表示される患者情報には、図２１（Ｂ）の第１確認画面に示される氏名、生年月日のみならず、図２１（Ｃ）の第２確認画面に示される住所、電話番号が含まれている。特に、ユーザーの住所は、診療費の払込票を郵送するために必要であり、もし、住所変更などが行われていた場合は、医療施設のスタッフなどに住所変更を申請することになる。さらに、図２１（Ｄ）に示す受取選択画面が表示される。この受取選択画において、ユーザーは、チケット選択ボタン１２ｐを操作することで、会計通知情報を閲覧可能なＵＲＬを記載したチケットをタブレット端末１と通信接続されたプリンター１７から印刷する、もしくは、アプリ選択ボタン１２ｑを操作することで、図１９、図２０に示すように携帯端末２で会計通知情報を受信することを選択することができる。
【００７８】
アプリ選択ボタン１２ｑが選択された場合、タブレット端末１には、図２１（Ｅ）のコード読み取り画面に示されるようにコード情報（ＱＲコード（登録商標））が表示される。その後、管理サーバー８は、コンビニ払い事業者にて運営される管理サーバー９ｃに対して、与信依頼処理（Ｓ３１３’’）を実行する。ここでの与信依頼処理では、図２１（Ｂ）、図２１（Ｃ）の第１、第２確認画面で確認した、ユーザー（この場合、患者）の個人情報（氏名、住所、電話番号等）を使用して与信依頼処理（Ｓ３１３’’）が行われる。決済サーバー９ｃで実行される与信処理で支払い能力があると判定された場合、医療費の与信枠（例えば、５万円）がコンビニ払い業者によって確保される。なお、本実施形態のコンビニ払い業者で行われる与信処理では、支払い能力の無いユーザー（所謂、ブラックリストに掲載されたユーザー）でなければ、支払い能力を有する者と判定している。そのため、患者が未成年の場合であっても条件を満たせば支払い能力（この場合、保護者による支払い能力）があると判定される。
【００７９】
診療後、図２０に示すように医療端末４で会計情報が入力されると、院内サーバー３、管理サーバー８において会計情報が登録される。管理サーバー８は、会計通知情報に基づく会計通知情報を携帯端末２に対してプッシュ送信する（Ｓ３５２）。また、管理サーバー８は、決済サーバー９ｃに対して会計情報に基づく請求依頼情報を送信する（Ｓ６５３）。決済サーバー９ｃでは、与信依頼処理において事前登録されたユーザーの情報に基づき、払込票、並びに、郵送先を印刷する等の郵送手続が実行される。
【００８０】
以上、本実施形態では、３つの医療費の支払い形態について説明したが、何れの形態についても、ユーザーが事前登録した携帯端末２に対して、診療でかかった請求金額を含む会計通知情報を通知することが可能となる。ユーザーは携帯端末２で受信した会計通知情報に基づき、自己または家族等の医療費を携帯端末２上で管理することが可能となる。さらに、会計通知情報に基づき、携帯電話料金やクレジットカード等を使用した支払い（後払い）を行うことも可能となっている。なお、支払い方法としては、携帯電話料金やクレジットカード以外に、銀行口座からの直接引き落としとすることも考えられる。その場合、ユーザーは、予め、医療費管理用プログラムに引き落とし対象となる銀行口座を登録しておく。管理サーバー８は、医療端末４で入力された会計情報を受信した場合、登録された銀行口座に対応する決済サーバーに対して、請求金額の引き落とし（医療施設の口座に対する送金）を指示することになる。
【符号の説明】
【００８１】
１：タブレット端末                            ２２ｉ：患者切替ボタン
２：携帯端末                                  ２２ｊ：切替ボタン
３：院内サーバー                              ２２ｋ：患者情報
４：医療端末                                  ２２ｍ：会計情報
５：再来受付機                                ２２ｎ：支払いボタン
６：精算機                                    ２２ｐ：請求金額
８：管理サーバー                              ２２ｑ：ログインＩＤ入力欄
９：決済サーバー                              ２２ｒ：パスワード入力欄
９ａ：決済サーバー（携帯事業者）              ２２ｓ：ログインボタン
９ｂ：決済サーバー（クレジットカード事業者）  ２２ｔ：保存先設定欄
９ｃ：決済サーバー（コンビニ決済事業者）      ２２ｕ：セキュリティ設定欄
１１ａ：ＣＰＵ                                ２２ｖ：薬局設定欄
１１ｂ：ＲＯＭ                                ２２ｗ：クレジットカード設定欄
１１ｃ：ＲＡＭ                                ２３：記憶部
１１ｄ：画像処理部                            ２４ｂ：インターフェイス
１１ｅ：音声処理部                            ２５：無線通信部
１２：タッチパネル表示部                      ２５ａ：アンテナ
１２ａ：表示部                                ２６：カメラ
１２ｂ：タッチパネル                          ３１ａ：ＣＰＵ
１２ｃ〜１２ｅ：選択ボタン                    ３１ｂ：ＲＯＭ
１２ｇ：患者情報表示欄                        ３１ｃ：ＲＡＭ
１２ｈ、１２ｉ：移動ボタン                    ３２：記憶部
１２ｊ：決済ＩＤ表示欄                        ３３：通信部
１３：記憶部                                  ４１ａ：ＣＰＵ
１４ａ、１４ｂ：インターフェイス              ４１ｂ：ＲＯＭ
１５：無線通信部                              ４１ｃ：ＲＡＭ
１５ａ：アンテナ                              ４１ｄ：画像処理部
１６：ＮＦＣセンサー                          ４２：記憶部
２１ａ：ＣＰＵ                                ４３：通信部
２１ｂ：ＲＯＭ                                ４４：インターフェイス
２１ｃ：ＲＡＭ                                ４５：表示部
２１ｄ：画像処理部                            ４６ａ：キーボード
２１ｅ：音声処理部                            ４６ｂ：マウス
２２：タッチパネル表示部                      ４７：ライター
２２ａ：表示部                                ７１：無線ルーター
２２ｂ：タッチパネル                          ７２：ルーター
２２ｃ：計算中医療費欄                        ７４：携帯基地局
２２ｄ：薬引換欄                              ８１ａ：ＣＰＵ
２２ｅ：未支払い欄                            ８１ｂ：ＲＯＭ
２２ｆ：支払い済み欄                          ８１ｃ：ＲＡＭ
２２ｇ：コード情報読み取りボタン              ８２：記憶部
２２ｈ：設定ボタン                            ８３：通信部
【図１】
2018032283.tif 000003
【図２】
2018032283.tif 000004
【図３】
2018032283.tif 000005
【図４】
2018032283.tif 000006
【図５】
2018032283.tif 000007
【図６】
2018032283.tif 000008
【図７】
2018032283.tif 000009
【図８】
2018032283.tif 000010
【図９】
2018032283.tif 000011
【図１０】
2018032283.tif 000012
【図１１】
2018032283.tif 000013
【図１２】
2018032283.tif 000014
【図１３】
2018032283.tif 000015
【図１４】
2018032283.tif 000016
【図１５】
2018032283.tif 000017
【図１６】
2018032283.tif 000018
【図１７】
2018032283.tif 000019
【図１８】
2018032283.tif 000020
【図１９】
2018032283.tif 000021
【図２０】
2018032283.tif 000022
【図２１】
2018032283.tif 000023